【事件の表示】
　特願２００９−１２５６０６「情報再生方法及び情報再生装置」拒絶査定不服審判事件〔平成２２年１２月　２日出願公開、特開２０１０−２７２０７７〕について、次のとおり審決する。
【結　論】
　本件審判の請求は、成り立たない。
【理　由】
　
第１　手続の経緯  
　
　本願は、平成２１年５月２５日を出願日とする出願であって、平成２２年７月１４日付けで手続補正がなされ、同年８月５日付けの拒絶理由通知に対して同年１０月６日付けで手続補正がなされたが、平成２３年１月５日付けで拒絶査定がなされ、これに対し、同年４月１１日付けで拒絶査定不服審判が請求されるとともに、同日付けで手続補正がなされた。 
　その後、平成２３年９月２９日付けで審尋がなされ、同年１１月２５日付けで回答書が提出されたものである。
　
　
第２　平成２３年４月１１日付けの手続補正についての補正却下の決定  
　
［補正却下の決定の結論］  
　平成２３年４月１１日付けの手続補正（以下「本件補正」という。）を却下する。  
　
［理由］  
　
１　本件補正  
　
　本件補正前に、  
「　【請求項１】
　視聴者の顔画像データを取り込み、
　取り込んだ顔画像データから前記視聴者の顔の特徴点を抽出してその特徴点を視聴者特徴点情報としてコード化し、
　管理テーブルが保持する前記視聴者特徴点情報と一致しない視聴者が在席する場合、前記視聴者特徴点情報と一致しない視聴者を含む場合に提示することを予定した情報を再生し、
　前記管理テーブルが保持する前記視聴者特徴点情報と一致する視聴者が在席する場合、
　同じ表示位置であっても視聴者が異なる場合は、異なる情報を再生する情報再生方法。
　　【請求項２】
　前記管理テーブルが保持する前記視聴者特徴点情報と一致する視聴者が在席する場合、
　さらに同じ視聴者であっても視聴する時間帯が異なるときは、異なる情報を再生する請求項１記載の情報再生方法。
　　【請求項３】
　前記管理テーブルが保持する前記視聴者特徴点情報と一致する視聴者が在席する場合、
　さらに単独の視聴者と前記単独の視聴者を含む複数の視聴者とでは、単独用と複数用とで異なる情報を再生する請求項２記載の情報再生方法。
　　【請求項４】
　在席する視聴者が一人である場合、その視聴者に対して提示が予定された第１の情報を提示する請求項１記載の情報再生方法。
　　【請求項５】
　前記複数の視聴者が在席し、それぞれの視聴者が、前記管理テーブルが保持する前記視聴者特徴点情報と一致する場合、全ての視聴者が前記視聴者特徴点情報と一致する場合に提示することを予定した情報を提示する請求項１記載の情報再生方法。
　　【請求項６】
　視聴者の顔情報を取り込む手段と、
　この取り込む手段により取り込まれた視聴者の顔情報を、データベースが保持する顔情報と比較する手段と、
　この比較する手段の比較結果に基づいて、情報の再生の可否を判断する顔情報認証手段と、
　この顔情報認証手段からの認証結果に基づいて、前記顔情報と関連づけられた再生情報を設定する設定手段と、
　この設定手段による設定結果に基づいて、前記再生情報を再生する再生手段と、
を具備し、
　前記設定手段及び再生手段は、同じ表示位置であっても視聴者が異なる場合は、異なる情報を再生する情報再生装置。
　　【請求項７】
　前記設定手段及び再生手段は、
　さらに同じ視聴者であっても視聴する時間帯が異なるときは、異なる情報を再生する請求項６記載の情報再生装置。
　　【請求項８】
　前記設定手段及び再生手段は、
　さらに単独の視聴者と前記単独の視聴者を含む複数の視聴者とでは、単独用と複数用とで異なる情報を再生する請求項７記載の情報再生装置。
　　【請求項９】
　前記顔情報認証手段は、前記取り込む手段が顔情報を取り込んだ視聴者に関連づけられた視聴者に提示することを予定しない情報の再生を禁止する請求項６記載の情報再生装置。
　　【請求項１０】
　前記顔情報認証手段は、前記取り込む手段が顔情報を取り込んだ視聴者が一人であるとき、その視聴者への提示が予定された情報の再生を許可する請求項６記載の情報再生装置。
　　【請求項１１】
　時間の経過とともに前記提示が許可されている情報を変更する手段をさらに含む請求項９または１０記載の情報再生装置。
　　【請求項１２】
　在席する視聴者の会話を取得する手段もさらに有し、その会話からキーワードを抽出し、提示が許可されている第１の情報と抽出されたキーワードに関連のある第２の情報を取得して、その第１及び第２の情報を再生する請求項９または１０記載の情報再生装置。
　　【請求項１３】
　前記取り込む手段が在席する視聴者がないことを検知した場合に、再生を停止する手段をさらに有する請求項６記載の情報再生装置。
　　【請求項１４】
　前記視聴者には、機器操作者も含まれることを特徴とする請求項６記載の情報再生装置。」  
とあったところを、  
　
「　【請求項１】
　視聴者の顔画像データを取り込み、
　取り込んだ顔画像データから前記視聴者の顔の特徴点を抽出してその特徴点を視聴者特徴点情報としてコード化し、
　管理テーブルが保持する前記視聴者特徴点情報と一致しない視聴者が在席する場合、前記視聴者特徴点情報と一致しない視聴者を含む場合に提示することを予定した情報を再生し、
　前記管理テーブルが保持する前記視聴者特徴点情報と一致する視聴者が在席する場合、
　同じ表示位置であっても視聴者が異なる場合は、異なる情報を再生し、
　前記表示位置を、この表示位置の面積よりも大きな面積の映像表示領域の１又は複数個所に設定しており、前記異なる情報は前記視聴者特徴点情報と一致する前記視聴者が予め設定した種類の情報である情報再生方法。
　　【請求項２】
　前記管理テーブルが保持する前記視聴者特徴点情報と一致する視聴者が在席する場合、
　さらに同じ視聴者であっても視聴する時間帯が異なるときは、異なる情報を再生する請求項１記載の情報再生方法。
　　【請求項３】
　前記管理テーブルが保持する前記視聴者特徴点情報と一致する視聴者が在席する場合、
　さらに単独の視聴者と前記単独の視聴者を含む複数の視聴者とでは、単独用と複数用とで異なる情報を再生する請求項２記載の情報再生方法。
　　【請求項４】
　在席する視聴者が一人である場合、その視聴者に対して提示が予定された第１の情報を提示する請求項１記載の情報再生方法。
　　【請求項５】
　前記複数の視聴者が在席し、それぞれの視聴者が、前記管理テーブルが保持する前記視聴者特徴点情報と一致する場合、全ての視聴者が前記視聴者特徴点情報と一致する場合に提示することを予定した情報を提示する請求項１記載の情報再生方法。
　　【請求項６】
　視聴者の顔情報を取り込む手段と、
　この取り込む手段により取り込まれた視聴者の顔情報を、データベースが保持する顔情報と比較する手段と、
　この比較する手段の比較結果に基づいて、情報の再生の可否を判断する顔情報認証手段と、
　この顔情報認証手段からの認証結果に基づいて、前記顔情報と関連づけられた再生情報を設定する設定手段と、
　この設定手段による設定結果に基づいて、前記再生情報を再生する再生手段と、
を具備し、
　前記設定手段及び再生手段は、同じ表示位置であっても視聴者が異なる場合は、異なる情報を再生するもので、前記表示位置を、この表示位置の面積よりも大きな面積の映像表示領域の１又は複数個所に設定しており、前記異なる情報は前記視聴者特徴点情報と一致する前記視聴者が予め設定した種類の情報である情報再生装置。
　　【請求項７】
　前記設定手段及び再生手段は、
　さらに同じ視聴者であっても視聴する時間帯が異なるときは、異なる情報を再生する請求項６記載の情報再生装置。
　　【請求項８】
　前記設定手段及び再生手段は、
　さらに単独の視聴者と前記単独の視聴者を含む複数の視聴者とでは、単独用と複数用とで異なる情報を再生する請求項７記載の情報再生装置。
　　【請求項９】
　前記顔情報認証手段は、前記取り込む手段が顔情報を取り込んだ視聴者に関連づけられた視聴者に提示することを予定しない情報の再生を禁止する請求項６記載の情報再生装置。
　　【請求項１０】
　前記顔情報認証手段は、前記取り込む手段が顔情報を取り込んだ視聴者が一人であるとき、その視聴者への提示が予定された情報の再生を許可する請求項６記載の情報再生装置。
　　【請求項１１】
　時間の経過とともに前記提示が許可されている情報を変更する手段をさらに含む請求項９または１０記載の情報再生装置。
　　【請求項１２】
　在席する視聴者の会話を取得する手段もさらに有し、その会話からキーワードを抽出し、提示が許可されている第１の情報と抽出されたキーワードに関連のある第２の情報を取得して、その第１及び第２の情報を再生する請求項９または１０記載の情報再生装置。
　　【請求項１３】
　前記取り込む手段が在席する視聴者がないことを検知した場合に、再生を停止する手段をさらに有する請求項６記載の情報再生装置。
　　【請求項１４】
　前記視聴者には、機器操作者も含まれることを特徴とする請求項６記載の情報再生装置。」  
とするものである。  
　
　そこで本件補正について検討するに、  
　
　本件補正により補正された請求項１、６は、補正前の「表示位置」、「異なる情報」について、「前記表示位置を、この表示位置の面積よりも大きな面積の映像表示領域の１又は複数個所に設定しており、前記異なる情報は前記視聴者特徴点情報と一致する前記視聴者が予め設定した種類の情報である」と限定するものである。
　
　よって、本件補正は、補正前の請求項に記載された発明を特定するために必要な事項を限定するものであるから、特許法第１７条の２第５項第２号に掲げる特許請求の範囲の減縮を目的とするものに該当する。  
　
　そこで、本件補正後における特許請求の範囲に記載されている事項により特定される発明が特許出願の際独立して特許を受けることができるものであるか（特許法第１７条の２第６項において準用する同法第１２６条第５項に規定する要件を満たすか）否かを、請求項１に係る発明（以下「本願補正発明」という。）について以下に検討する。  
　
　本願補正発明は、再掲すれば、次に記載するとおりのものである。  
　
「視聴者の顔画像データを取り込み、
　取り込んだ顔画像データから前記視聴者の顔の特徴点を抽出してその特徴点を視聴者特徴点情報としてコード化し、
　管理テーブルが保持する前記視聴者特徴点情報と一致しない視聴者が在席する場合、前記視聴者特徴点情報と一致しない視聴者を含む場合に提示することを予定した情報を再生し、
　前記管理テーブルが保持する前記視聴者特徴点情報と一致する視聴者が在席する場合、
　同じ表示位置であっても視聴者が異なる場合は、異なる情報を再生し、
　前記表示位置を、この表示位置の面積よりも大きな面積の映像表示領域の１又は複数個所に設定しており、前記異なる情報は前記視聴者特徴点情報と一致する前記視聴者が予め設定した種類の情報である情報再生方法。」
　
　
２　引用例及びその記載事項  
　
　原査定の拒絶の理由に引用された、本願の出願の日前に頒布された刊行物である特開２０００−３２２３５８号公報（平成１２年１１月２４日公開、以下「引用例」という。）には、図面とともに以下の事項が記載されている（なお、下線は当審で付した。）。　
　
（ａ）「【０００１】
【発明の属する技術分野】本発明は、特定の個人
のデータの一覧またはその内容を表示するデータ表示装置
に関する。
　
（ｂ）「【０００６】
データには、誰が見ても構わないデータもあれば、特定の人
だけが参照
出来るデータもある。
　
（ｃ）「【００１０】
【課題を解決するための手段】
本発明は、データをアクセスする際、
データ表示装置を参照可能な位置にいる人に応じて、自動的に参照可能なデータの一覧を表示し、データの内容を
参照する際には、
データの中身を見られないように、データ表示装置を覗き込める位置に部外者が来ると、
別の画面を表示したりして、
　
（ｄ）「【００２１】
【発明の実施の形態】
本発明の原理と基本的動作の流れを、図１の本発明の基本構成図
を用いて説明する。
【００２２】
まず、センサー部１が、データ表示装置を参照出来る位置にいる人の情報を、例えば、カメラ等の画像入力装置を用いて入力する（ステップＳ１）。個人識別部２は、入力された個人の情報を、予め登録されている識別情報格納部２−１と照合して、データ表示装置を参照出来る位置に誰がいるかを識別する（ステップＳ２）。前記識別情報格納部２−１には、個人毎の識別情報が個人を表す個人識別子とともに対応づけられて格納されている。
【００２３】次にデータ表示部３は、アクセス許可情報格納部３−２を参照して（ステップＳ３）、識別結果に含まれている人にアクセスが許可されていない人がいないか判定する（ステップＳ４）。許可されていない人が含まれていない場合（ステップＳ４：ＮＯ）は、表示切替部３は、画面に表示するデータを読み込み、データの内容を表示し、許可されていない人が含まれている場合（ステップＳ４：ＹＥＳ）は、データの内容を非表示とする（ステップＳ６）。
データの内容を非表示とする時に、アクセス許可がない人が参照している旨のメッセージを出力するようにしてもよい。
【００２４】
図１においては、表示するデータはデータ格納部２−１に格納されているが、データはファイルに蓄えられたデータに限定するものではなく、プログラムの実行画面等、画面に表示する全てのデータを含むものとする。そのため、データ格納部は必ずしも必要ではない。
　
（ｅ）「【００３２】識別情報格納部２−１に格納している識別情報は、個人識別子（本実施形態ではログインＩＤ）と対になって格納されている。識別情報は、各個人の画像情報そのものでもよいし、個人の画像情報からその特徴となる識別情報を抽出したものでもよい。顔画像による人物認証技術を用いる場合、識別情報として登録しておく顔画像は、正面からとった顔画像一つではなく、画面の斜めから見ている人の顔画像も認識出来るように、顔を中心円周上の位置から所定の角度毎（例えば３０度毎）に、顔画像を斜めからとった画像も用意しておくとよい。
【００３３】識別情報として画像情報が格納されている場合は、入力されて各個人毎に切り出された個人別顔画像情報と照合される。識別情報格納部２−１に所定の角度毎にとった顔画像を格納していると、顔画像により、個人の識別だけでなく、顔の向きも検出可能となる。顔の向きが検出出来ると、画面前方にいる人が部外者であっても、画面を見ておらず、横をむいているような場合は、画面を参照していないと判断することも可能となる。また、
顔画像が、識別情報格納部２−１に格納されていない場合は、その顔画像の人を無条件に部外者と見なしてもよい
【００３４】
識別情報として特徴情報が識別情報格納部２−１に格納されている場合は、入力されて各個人毎に切り出された個人別顔画像情報から特徴情報を抽出してから照合を行う。特徴情報を格納しておく方が、
好ましい。
　
（ｆ）「【発明の効果】（中略）【００９０】また、
1台の端末を利用して、インターネット等の情報サービスを家族で楽しむような場合、家族構成に応じて記事情報の表示と非表示を自動判定することが出来る
　
ア　上記（ｃ）の「【００１０】【課題を解決するための手段】本発明は、データをアクセスする際、‥‥‥データ表示装置を参照可能な位置にいる人に応じて、自動的に参照可能なデータの一覧を表示し、‥‥‥」との記載、上記（ｄ）の「【００２１】【発明の実施の形態】本発明の原理と基本的動作の流れを、図１の本発明の基本構成図‥‥‥を用いて説明する。【００２２】まず、センサー部１が、データ表示装置を参照出来る位置にいる人の情報を、例えば、カメラ等の画像入力装置を用いて入力する（ステップＳ１）。個人識別部２は、入力された個人の情報を、予め登録されている識別情報格納部２−１と照合して、データ表示装置を参照出来る位置に誰がいるかを識別する（ステップＳ２）。前記識別情報格納部２−１には、個人毎の識別情報が個人を表す個人識別子とともに対応づけられて格納されている。」との記載、及び上記（ｅ）の「‥‥‥【００３４】識別情報として特徴情報が識別情報格納部２−１に格納されている場合は、入力されて各個人毎に切り出された個人別顔画像情報から特徴情報を抽出してから照合を行う。特徴情報を格納しておく方が、‥‥‥好ましい。」との記載から、データ表示画面を参照可能な位置にいる人を識別することは、データ表示画面を見ることができる位置にいる個人を識別するものといえるから、引用例に記載のものは、「データ表示装置を参照可能な位置にいる個人の顔を、カメラ等の画像入力装置を用いて入力し、個人識別部は、入力された個人の顔を切り出して顔画像情報から特徴情報を抽出し、予め登録された、個人毎の特徴情報である識別情報が個人を表す個人識別子とともに対応づけられて格納されている識別情報格納部と照合して、データ表示装置を参照可能な位置にいる個人を識別する」ものである。
　
イ　上記（ｃ）の「【００１０】【課題を解決するための手段】本発明は、データをアクセスする際、‥‥‥データ表示装置を参照可能な位置にいる人に応じて、自動的に参照可能なデータの一覧を表示し、データの内容を‥‥‥参照する際には、‥‥‥データの中身を見られないように、データ表示装置を覗き込める位置に部外者が来ると、‥‥‥別の画面を表示したりして、‥‥‥」との記載、及び、上記（ｅ）の「【００３３】‥‥‥顔画像が、識別情報格納部２−１に格納されていない場合は、その顔画像の人を無条件に部外者と見なしてもよい‥‥‥」との記載から、「部外者」は「顔画像が識別情報格納部に格納されていない者」といえる。　
　また、上記(ｄ）の「‥‥‥【００２４】図１においては、表示するデータはデータ格納部２−１に格納されているが、データはファイルに蓄えられたデータに限定するものではなく、プログラムの実行画面等、画面に表示する全てのデータを含むものとする。そのため、データ格納部は必ずしも必要ではない。」との記載から、引用例に記載の表示するデータは、ファイルに蓄えられたデータ、プログラムの実行画面、画面に表示する全てのデータを含む、すなわち情報の再生を含むものであるから、引用例に記載のものは、「データ表示装置を参照可能な位置にいる個人に応じて、自動的に参照可能なデータを再生し、データ表示装置を覗き込める位置に、顔画像が識別情報格納部に格納されていない部外者が来ると、データの中身を見られないように、」「別の画面を表示する」ものである。
　さらに、「別の画面の表示」に関し、上記（ｄ）には、「‥‥‥【００２３】‥‥‥データの内容を非表示とする時に、アクセス許可がない人が参照している旨のメッセージを出力するようにしてもよい。‥‥‥」とするものであるから、部外者の画像が含まれていると、アクセス許可がない人が参照している旨のメッセージを出力するものであって、このメッセージは「予め提示することを予定した情報を再生する」ものといえるから、引用例に記載のものは、「データ表示装置を参照可能な位置にいる個人に応じて、自動的に参照可能なデータを再生し、データ表示装置を覗き込める位置に、顔画像が識別情報格納部に格納されていない部外者が来ると、データの中身を見られないように、予め提示することを予定した情報を再生する」ものである。
　
ウ　上記（ａ）の「【０００１】【発明の属する技術分野】本発明は、特定の個人‥‥‥のデータの一覧またはその内容を表示するデータ表示装置‥‥‥に関する。‥‥‥」との記載、上記（ｂ）の「【０００６】データには、誰が見ても構わないデータもあれば、特定の人‥‥‥だけが参照‥‥‥出来るデータもある。」との記載から、引用例に記載のものは「特定の個人だけが参照できるデータを表示するデータ表示装置」であり、また、個人は、上記（ｆ）の「【発明の効果】（中略）【００９０】‥‥‥ 1台の端末を利用して、インターネット等の情報サービスを家族で楽しむような場合、家族構成に応じて記事情報の表示と非表示を自動判定することが出来る‥‥‥」との記載から、引用例に記載のものは、個人が複数存在することも想定しているといえ、また、上記イに記載したように、引用例に記載の表示するデータは、ファイルに蓄えられたデータ、プログラムの実行画面、画面に表示する全てのデータを含む、すなわち情報の再生を含むものであるから、引用例に記載のものは、「各個人のそれぞれの情報を再生する、情報再生装置」である。
　
　
　上記引用例に記載された事項、図面の記載、及び上記アないしウを総合すると、引用例には、次の発明が記載されている（以下「引用発明」という。）。  
　
「データ表示装置を参照可能な位置にいる個人の顔を、カメラ等の画像入力装置を用いて入力し、個人識別部は、入力された個人の顔を切り出して顔画像情報から特徴情報を抽出し、予め登録された、個人毎の特徴情報である識別情報が個人を表す個人識別子とともに対応づけられて格納されている識別情報格納部と照合して、データ表示装置を参照可能な位置にいる個人を識別するものであって、
　データ表示装置を参照可能な位置にいる個人に応じて、自動的に参照可能なデータを再生し、データ表示装置を覗き込める位置に、顔画像が識別情報格納部に格納されていない部外者が来ると、データの中身を見られないように、予め提示することを予定した情報を再生し、
　各個人のそれぞれの情報を再生する、
　情報再生装置。」
　
　
３　対比  
　
　本願補正発明と引用発明とを対比する。  
　
（１）引用発明の「データ表示装置を参照可能な位置にいる個人」は、「表示を見る者」である点で本願補正発明と共通し、また、引用発明の「個人識別部は、入力された個人の顔を切り出して顔画像情報から特徴情報を抽出し、予め登録され、個人毎の特徴情報である識別情報が個人を表す個人識別子とともに対応づけられて格納されている識別情報格納部と照合して、データ表示装置を参照可能な位置にいる個人を識別」ことにおいて、顔画像情報から抽出される特徴情報を特徴点情報としてコード化することは常套手段であるから、引用発明の「データ表示装置を参照可能な位置にいる個人の顔を、カメラ等の画像入力装置を用いて入力し、個人識別部は、入力された個人の顔を切り出して顔画像情報から特徴情報を抽出」することは、本願補正発明と、「表示を見る者の顔画像データを取り込み、取り込んだ顔画像データから、前記表示を見る者の顔の特徴点を抽出してその特徴点を、前記表示を見る者の特徴点情報としてコード化」する点において共通する。
　
（２）引用発明の「予め登録された、個人毎の特徴情報である識別情報が個人を表す個人識別子とともに対応づけられて格納されている識別情報格納部と照合して、データ表示装置を参照可能な位置にいる個人を識別する」ものにおいて、識別情報格納部は、特徴情報と個人とを対応づけて格納することから、本願補正発明の「管理テーブル」に相当するものということができ、引用発明の「データ表示装置を参照可能な位置にいる個人に応じて、自動的に参照可能なデータを再生し、データ表示装置を覗き込める位置に、顔画像が識別情報格納部に格納されていない部外者が来ると、データの中身を見られないように、予め提示することを予定した情報を再生」することは、本願補正発明と、「管理テーブルが保持する表示を見る者の特徴点情報と一致しない者が在席する場合、前記表示を見る者の特徴点情報と一致しない者を含む場合に提示することを予定した情報を再生」する点において共通する。
　
（３）引用発明の「各個人のそれぞれの情報を再生」することにおける「個人」について、引用発明は「データ表示装置を参照可能な位置にいる個人の顔を、カメラ等の画像入力装置を用いて入力し、個人識別部は、入力された個人の顔を切り出して顔画像情報から特徴情報を抽出し、予め登録され、個人毎の識別情報が個人を表す個人識別子とともに対応づけられて格納されている識別情報格納部と照合して、データ表示装置を参照可能な位置にいる個人」を識別するものであるから、引用発明と本願補正発明とは、「前記管理テーブルが保持する前記表示を見る者の特徴点情報と一致する者が在席する場合、表示を見る者が異なる場合は、異なる情報を再生」する点において共通する。
　
（４）引用発明の「情報再生装置」は情報を再生する方法としても捉えることができるから、本願補正発明とは「情報再生方法」を有する点で共通する。
　
　すると、本願補正発明と引用発明とは、次の＜一致点＞及び＜相違点＞を有する。  
　
＜一致点＞  
「表示を見る者の顔画像データを取り込み、
　取り込んだ顔画像データから、前記表示を見る者の顔の特徴点を抽出してその特徴点を表示を見る者の特徴点情報としてコード化し、
　管理テーブルが保持する前記表示を見る者の特徴点情報と一致しない表示を見る者が在席する場合、前記表示を見る者の特徴点情報と一致しない表示を見る者を含む場合に提示することを予定した情報を再生し、
　前記管理テーブルが保持する前記表示を見る者の特徴点情報と一致する表示を見る者が在席する場合、表示を見る者が異なる場合は、異なる情報を再生する、
　情報再生方法。」
　
　
＜相違点＞  
　
（ア）本願補正発明が「視聴者」であるのに対し、引用発明は「表示を見る者」である点。
　
（イ）視聴者が異なる場合は、異なる情報を再生することに関し、本願補正発明が、「同じ表示位置」であって「前記表示位置を、この表示位置の面積よりも大きな面積の映像表示領域の１又は複数個所に設定して」いるのに対し、引用発明はこのような点について特定がない点。　
　
（ウ）「異なる情報」について、本願補正発明は、「前記視聴者特徴点情報と一致する前記視聴者が予め設定した種類の情報」であるのに対し、引用発明は、このような点について特定がない点。
　
　
４　判断  
　
＜相違点＞（ア）（イ）について  
　本願明細書の段落【００１７】の「‥‥‥視聴者ごとに、特定の条件で設定された映像や音声を再生する映像音声再生システムは、‥‥‥テレビジョン受信装置（家庭内ユーザ端末１）１０、‥‥‥ビデオレコーダ装置（家庭内ユーザ端末２）２０、あるいはデジタルフォトフレーム等に代表される映像音声再生装置（家庭内ユーザ端末３）１００の少なくとも１つと、ネットワーク網‥‥‥を介して家庭内ユーザ端末（１〜３）のそれぞれと相互に接続されるビデオレターサーバ１０００と、により達成される。」との記載、段落【００３０】の「‥‥‥ウィジェット登録部１０１は、デジタルフォトフレーム１００の表示部１６０および、‥‥‥さまざまな再生形態により再生可能とする任意数のウィジェット（情報画面）を、‥‥‥選択的に動作させる。なお、ウィジェットは、周知の通り、例えばデジタルフォトフレーム１００の表示部１６０、あるいはテレビジョン受信装置１の表示部の表示領域中に、１または複数、映像または写真（静止画）もしくは音楽等を再生可能な情報画面であり、デジタルフォトフレーム１００が再生中の写真（静止画）等の再生状態とは独立に、選択されたウィジェットが所望するさまざまな動作を提供できる。‥‥‥」との記載、及び「【００５２】‥‥‥時刻表示（時計）と気温（地域温度）のウィジェットに加え、カレンダー表示ウィジェットや、株価表示ウィジェット等が追加されていることが認められる。」から、情報再生装置は、例えば、テレビジョン受信装置、あるいは、デジタルフォトフレーム等に代表される映像音声再生装置の表示部の表示領域中に、映像または写真（静止画）もしくは音楽等を再生可能な情報画面を表示するものであって、情報画面として、具体的には、時刻表示（時計）、気温（地域温度）等が例示されていることから、本願補正発明における「視聴者」は、テレビジョン受信装置、デジタルフォトフレーム等に代表される映像音声再生装置を視聴する者であって、その視聴者が、時計、気温等の音声再生を伴わない情報を見ることができるということができる。　
　一方、例えば、テレビ画像に加え他の情報画面を表示することは、特開２００３−１７４５９８号公報（段落【００２３】（入力ソースが、TV受信部からの映像、音声、インターネット、電子メールである点）、段落【００２８】（各入力ソースから映像、画像などのデータを所定の画面レイアウトとなるよう、展開してマルチ画面を生成する点）、段落【００３４】ないし段落【００３５】（シングルまたはマルチ画面表示がなされ、マルチ画面表示においては画面レイアウトを設定できる点））などに記載されているように周知技術であるから、引用発明に前記技術を適用して、例えば、テレビ画像を表示し、その一部に情報画面を表示するようにすることに格別の困難性を有しない。
　したがって、引用発明における「表示を見る者」を、「視聴者」とし、かつ、視聴者が異なる場合は、異なる情報を再生するのに際し、情報を「同じ表示位置」において再生し、「前記表示位置を、この表示位置の面積よりも大きな面積の映像表示領域の１又は複数個所に設定」することは、当業者が適宜なし得る事項である。
　
＜相違点＞（ウ）について　
　一般に、自らが利用する情報の再生画面を予め自ら設定することは、例えば、特開２００８−９６９４号公報（段落【００３３】「‥‥‥「オリジナルメニュー（カスタムメニューと記してもよい）表示」は、認識された人物（たとえば、人物Ｂ）によって予め登録されているユーザごとのメニューを、通常のスタートメニュー（図４）に代えて表示することを許可する機能である。」点）に記載されているように周知技術であるから、引用発明の「各個人のそれぞれの情報」を予め各個人が設定して、本願補正発明のように、「前記異なる情報は前記視聴者特徴点情報と一致する前記視聴者が予め設定した種類の情報」とすることに格別の困難性を有しない。
　
　そして、上記相違点を総合的に判断しても、本願補正発明が奏する効果は引用例及び周知技術から当業者が十分に予測できたものであって格別なものとはいえない。  
　
　したがって、本願補正発明は、引用例に記載された発明及び周知技術に基づいて当業者が容易に発明をすることができたものであるから、特許法第２９条第２項の規定により特許出願の際独立して特許を受けることができない。  
　
　
５　本件補正についてのむすび  
　
　以上のとおり、本件補正は、特許法第１７条の２第６項で準用する同法第１２６条第５項の規定に違反するので、同法第１５９条第１項の規定において読み替えて準用する同法第５３条第１項の規定により却下すべきものである。  
　
　
第３　本願発明について  
　
１　本願発明  
　
　平成２３年４月１１日付けの手続補正は上記のとおり却下されたので、本願の請求項に係る発明は、平成２２年１０月６日付けの手続補正で補正された特許請求の範囲の請求項１ないし１４に記載された事項により特定されるものであるところ、請求項１に係る発明（以下「本願発明」という。）は、上記「第２［理由］１　」の本件補正前の「請求項１」として記載したとおりのものである。 
　
　
２　引用例  
　
　原査定の拒絶の理由で引用された引用例及びその記載事項は、上記「第２［理由］　２　引用例及びその記載事項」に記載したとおりである。  
　
３　対比・判断  
　
　本願発明は、上記「第２」で検討した本願補正発明から、「前記表示位置を、この表示位置の面積よりも大きな面積の映像表示領域の１又は複数個所に設定しており、前記異なる情報は前記視聴者特徴点情報と一致する前記視聴者が予め設定した種類の情報である」との限定を削除したものである。  
　
　そうすると、本願発明の特定事項を全て含み、更に他の特定事項を付加したものに相当する本願補正発明が前記「第２　〔理　由〕　４　判断」に示したとおり、引用例に記載された発明及び周知技術に基づいて、当業者が容易に発明をすることができたものであるから、本願発明も、同様の理由により、引用例に記載された発明及び周知技術に基づいて当業者が容易に発明をすることができたものである。  
　
４　むすび  
　
　以上のとおり、本願の請求項１に係る発明は、特許法第２９条第２項の規定により特許を受けることができないものであるから、その余の請求項に論及するまでもなく、本願は拒絶すべきものである。  
　
　よって、結論のとおり審決する。